(57)【要約】【課題】螺旋形状の蛍光管を電子回路から離隔して保持する保持部材と蛍光管との組み付け作業を簡略化させるとともに、蛍光管の膨張、および収縮に伴って生じ得るひび割れを好適に防止するインバータ式蛍光灯を提供する。【解決手段】インバータ式蛍光灯１０は、基準となる中心軸ｃの周りに螺旋状に巻きつけられるように湾曲して形成された螺旋部２２を有する蛍光管２０と、一方の面５５ａの側において蛍光管を保持し、他方の面の側５５ｂに配置され蛍光管の点灯を制御する電子安定器４３を蛍光管から離隔させる保持部材５０と、を有している。保持部材は、一方の面から伸びるとともに蛍光管の螺旋部が引っ掛けられて蛍光管を弾性的に保持するフック５１を有している。【選択図】図２
0003154874.tif 000002
【実用新案登録請求の範囲】
【請求項１】
基準となる中心軸の周りに螺旋状に巻きつけられるように湾曲して形成された螺旋部を有する蛍光管と、
一方の面の側において前記蛍光管を保持し、他方の面の側に配置され前記蛍光管の点灯を制御する電子回路を前記蛍光管から離隔させる保持部材と、を有し、
前記保持部材は、前記一方の面から伸びるとともに前記蛍光管の前記螺旋部が引っ掛けられて前記蛍光管を弾性的に保持するフックを有するインバータ式蛍光灯。
【請求項２】
前記螺旋部と前記フックとの間に接着剤が塗布された、請求項１に記載のインバータ式蛍光灯。
【請求項３】
前記保持部材は、前記フックと対向する位置に形成され前記接着剤を塗布するための貫通穴を有する、請求項２に記載のインバータ式蛍光灯。
【請求項４】
離隔して配置された前記蛍光管と前記電子回路とを電気的に接続するリード線をさらに有し、
前記保持部材は、前記一方の面と前記他方の面とに連なる側面部に形成され前記リード線が配置される溝部を有する請求項１〜３のいずれか１項に記載のインバータ式蛍光灯。
【請求項５】
前記保持部材と前記フックとが樹脂成形によって一体的に形成された、請求項１〜４のいずれか１項に記載のインバータ式蛍光灯。
【考案の詳細な説明】
【技術分野】
【０００１】
本考案は、インバータ式蛍光灯に関する。
【背景技術】
【０００２】
インバータ式蛍光灯は、グロースターター等の点灯管が採用されたスターター形の蛍光灯と比較して、内蔵された電子回路の制御によって効率よく点灯を行うことが可能な点、および製品の小型化を図ることが可能な点において優れている。特に、螺旋状に巻きつけられるように湾曲した形状の蛍光管を採用し、より一層の小型化が図られたインバータ式蛍光灯が注目されている。
【０００３】
特許文献１には、螺旋形状の蛍光管を制御回路から離隔して保持する保持部材と蛍光管との組み付け作業を簡略化させた蛍光灯が提案されている。蛍光管の端部を保持部材に設けられた案内溝を介して保持部材の受け入れ口内に挿入して組み付け作業を行っている。
【先行技術文献】
【特許文献】
【０００４】
【特許文献１】特開２００４−７１５５５号公報
【考案の概要】
【考案が解決しようとする課題】
【０００５】
一般に、蛍光管は点灯時に熱を放出する。この熱の影響によって蛍光管自体の膨張が生じる。また、消灯時には熱の放出が止むため、蛍光管が冷却して収縮する。
【０００６】
上記の特許文献１に記載された蛍光灯にあっては、蛍光管と保持部材との組み付け作業を簡略化することは可能になる。しかしながら、蛍光管を受け入れ口内に挿入した状態で保持するため、蛍光管の膨張、および収縮に伴って保持部材から蛍光管に対して締め付け力が付与されることになる。点灯、および消灯の度に繰り返して蛍光管に締め付け力が付与されると、蛍光管にひび割れが発生する虞がある。
【０００７】
本考案は、上記課題を解決するためになされたものであり、螺旋形状の蛍光管を電子回路から離隔して保持する保持部材と蛍光管との組み付け作業を簡略化させるとともに、蛍光管の膨張、および収縮に伴って生じ得るひび割れを好適に防止するインバータ式蛍光灯を提供することを目的とする。
【課題を解決するための手段】
【０００８】
上記目的を達成する本考案に係るインバータ式蛍光灯は、基準となる中心軸の周りに螺旋状に巻きつけられるように湾曲して形成された螺旋部を有する蛍光管を有している。さらに、一方の面の側において蛍光管を保持し、他方の面の側に配置され蛍光管の点灯を制御する電子回路を蛍光管から離隔させる保持部材を有している。保持部材は、一方の面から伸びるとともに蛍光管の螺旋部が引っ掛けられて蛍光管を弾性的に保持するフックを有している。
【考案の効果】
【０００９】
本考案によれば、保持部材に設けられたフックに螺旋形状の蛍光管を引っ掛ける簡単な作業によって、保持部材と蛍光管とを組み付けることができる。さらに、保持部材がフックに引っ掛けられた蛍光管を弾性的に保持するため、蛍光管の膨張、および収縮に伴って保持部材から蛍光管に対して付与される締め付け力を緩和させることができ、蛍光管のひび割れを好適に防止することができる。
【図面の簡単な説明】
【００１０】
【図１】本考案の実施形態に係るインバータ式蛍光灯の外観図である。
【図２】インバータ式蛍光灯の組立て図である。
【図３】図３（Ａ）は、蛍光管を組み付ける前の保持部材の正面図、図３（Ｂ）は、蛍光管を組み付けた後の保持部材の正面図である。
【図４】図４（Ａ）は、図３の矢印４Ａ方向から見た保持部材の斜視図、図４（Ｂ）は、図３の矢印４Ｂ方向から見た保持部材の斜視図である。
【考案を実施するための形態】
【００１１】
以下、添付した図面を参照しながら、本考案の実施形態を説明する。なお、図面の説明において同一の要素には同一の符号を付し、重複する説明を省略する。また、図面の寸法比率は、説明の都合上誇張されており、実際の比率とは異なる場合がある。
【００１２】
図２および図３を参照して、本実施形態のインバータ式蛍光灯１０を概説すれば、基準となる中心軸ｃの周りに螺旋状に巻きつけられるように湾曲して形成された螺旋部２２を有する蛍光管２０と、一方の面５５ａの側において蛍光管２０を保持し、他方の面５５ｂの側に配置され蛍光管２０の点灯を制御する電子安定器４３（電子回路に相当する）を蛍光管２０から離隔させる保持部材５０と、を有している。保持部材５０は、一方の面５５ａから伸びるとともに蛍光管２０の螺旋部２２が引っ掛けられて蛍光管２０を弾性的に保持するフック５１を有している。以下、実施形態について詳述する。
【００１３】
図１および図２を参照して、蛍光灯１０は、蛍光管２０と、蛍光管２０を保持する保持部材５０と、電子安定器４３が収納された外装ケース４０と、を有している。蛍光管２０は、外部からの衝撃による破損を防止するためのグローブ３３によって覆っている。
【００１４】
グローブ３３は、はめ込みによって保持部材５０に取り付けることが可能なものを利用している。グローブ３３を構成する材料は、特に限定されるものではなく、樹脂製や、ガラス材質等の従来公知のものを採用することができる。外形形状も特に限定されるものではなく、図示されるように、球形に近似したＧ形のものや、その他の形状のものを適宜選択することができる。
【００１５】
蛍光管２０は、中心軸ｃ上に位置する中心部２１から両端部２３ａ、２３ｂを折り返して螺旋状に巻き付けるように加工している。このような加工によって、所定の傾斜角度αをなす螺旋部２２を形成させている。外形形状は、一方の端部２３ａが中心部２１に向けて螺旋状に湾曲し、他方の端部２３ｂが中心部２１に向けて螺旋状に湾曲した２重螺旋形状を有している。螺旋部２２の傾斜角度αは、特に限定されるものではないが、例えば、７０°程度の角度で形成することができる。蛍光管２０にはガラス管を利用しているが、これに限定されるものではなく、蛍光管として利用することが可能な従来公知の材質のものを適宜選択することができる。
【００１６】
２重螺旋形状に形成された蛍光管２０は、２重に巻きつけて形成されているため、単純な直線形状や円形形状に形成された蛍光管と比較して全長を小さくして形成することができる。蛍光管２０を小さくして形成することができるため、蛍光管２０を覆うグローブ３３、および蛍光灯１０の小型化を図ることが可能になっている。蛍光管２０の寸法は、特に限定されるものではないが、例えば、管径ｄが７ｍｍ程度のものを利用することができる。
【００１７】
蛍光管２０内には発光用ガスを封入し、蛍光管２０の内面には蛍光体を塗布している。発光用ガスには、水銀、および緩衝用ガスとしてのアルゴン・ネオンガスの混合ガスを利用している。蛍光体には、Ｙ２Ｏ：Ｅｕ、ＬａＰＯ４：Ｃｅ、Ｔｂ、およびＢａＭｇ２Ａｌ１６Ｏ２７：Ｅｕ、Ｍｎ蛍光体などを混合したものを利用している。発光用ガス、および蛍光体は、上記のものに限定されず、蛍光灯に用いられる従来公知のものを適宜採用することができる。
【００１８】
蛍光管２０内の両端部２３ａ、２３ｂ付近に一対の電極２５を設けている。電極２５には、タングステン製のコイル電極を用いている。
【００１９】
電極２５にはリード線３１を接続している。リード線３１は、蛍光管２０の両端部２３ａ、２３ｂから蛍光管２０外部へそれぞれ引き伸ばして配置している。リード線３１を利用して、保持部材５０の一方の面５５ａに位置する蛍光管２０の電極２５と、保持部材５０の他方の面５５ｂに位置する外装ケース４０に収納された電子安定器４３とを電気的に接続している。蛍光管２０から引き伸ばしたリード線３１は、保持部材５０の外周側面を形成する側面部５８に沿わせるように配置させる（図３（Ｂ）参照）。保持部材５０の一方の面５５ａの側に位置するリード線３１を、他方の面５５ｂの側へ容易に引き回すことを可能にするためである。これによって、リード線３１の接続作業を容易に行うことを可能にし、接続不良や短絡等が誤って生じることを未然に防止している。リード線３１には、銅線等の導電性材料に樹脂性の被覆を施した従来公知のものを利用することができる。
【００２０】
電子安定器４３は、高周波安定器やインバータ回路等を含み、蛍光管２０の点灯、および消灯を制御する。商用電源を高周波電源に変換し、リード線３１によって接続された電極２５に必要な電流を供給して蛍光管２０を発光させる。電子安定器４３を構成する回路基板の種類は、特に限定されるものではなく、インバータ式蛍光灯に利用されている従来公知のものを採用することが可能になっている。
【００２１】
電子安定器４３は、外部設備に対する取り付けを行うための口金４１が着脱自在な外装ケース４０内に予め収納して準備している。外装ケース４０には、保持部材５０に対する取り付け作業を簡略化させることが可能となるように、はめ込み式や、ワンタッチ式で取り付けることが可能な構成を有しているものを採用することが望ましい。
【００２２】
図３および図４を参照して、保持部材５０は、一方の面５５ａと他方の面５５ｂとに連なる側面部５８を有し、他方の面５５ｂの側から一方の面５５ａの側に窪ませた蓋状の外形形状を有している。保持部材５０を保持するためのフック５１は、一方の面５５ａから蛍光管２０の螺旋部２２に向けて伸びるように形成している。
【００２３】
保持部材５０とフック５１とは、樹脂成形によって一体的に形成している。フック５１と保持部材５０とを別体に形成し、別工程で両者を組み付ける構成とすることを妨げるものではないが、樹脂成形によって一体的に製作することによって、製作に要する工程数を削減し、製作コストの低減を図っている。
【００２４】
フック５１の先端部分５２は、蛍光管２０の螺旋部２２を引っ掛けることが可能となるように、保持部材５０の外部に向けて反った形状（外掛け形状）に形成している。比較的薄肉な樹脂材料で形成されたフック５１は、根元部分５３を基点にして先端部分５２を揺動させ、先端部分５２に引っ掛けられた蛍光管２０を弾性的に保持する。フック５１の根元部分５３には、補強部材５７を設けている。図３中の左右方向における過度な揺動によってフック５１が折れることを防止するためである。
【００２５】
保持部材５０に蛍光管２０を組み付ける際には、蛍光管２０の端部２３ａ、２３ｂ側に位置する螺旋部２２をフック５１に引っ掛ける（図３（Ｂ）参照）。フック５１に蛍光管２０を引っ掛ける簡単な作業によって組み付けを行うことを可能にしている。
【００２６】
蛍光管２０が発光すると周囲に熱を放出するが、この熱の影響を受けて蛍光管２０の膨張が生じる。蛍光管２０の消灯時には熱の放出が止むため、蛍光管２０が冷却して収縮する。蛍光管２０が膨張、および収縮すると、フック５１から蛍光管２０に対して締め付け力が付与されることになるが、フック５１は、膨張、および収縮に追従するように弾性的に変形し、蛍光管２０に付与される締め付け力を緩和させる。
【００２７】
蛍光管２０は、フック５１の先端部分５２と接する部位以外が露出した状態で保持されることになる。蛍光管２０と保持部材５０との間で熱が滞留すると、蛍光管２０の寿命の低下や、熱による蛍光管２０の過剰な変形が引き起こされる虞がある。フック５１によって保持した蛍光管２０は、保持部材５０から露出した部位が比較的多くなるため、フック５１と蛍光管２０との間に滞留する熱を速やかに放熱させることが可能になる。したがって、滞留した熱によって生じる蛍光管２０の寿命の低下や、蛍光管２０の過剰な変形を抑制することが可能になる。また、蛍光管２０において保持部材５０から露出した部位が比較的多くなるため、保持部材５０を利用することによって生じる光束の低下、および発光効率の低下を抑制することができる。保持部材５０を利用した場合においても、同程度の光束、および発光効率を維持することが可能になっているため、蛍光管２０を大型化する必要がない。これによって、大型化による製造コストの増加が招かれることを防止できる。
【００２８】
フック５１と、フック５１に引っ掛けられた螺旋部２２との間には、接着剤６０を塗布している（図３（Ｂ）参照）。
【００２９】
接着剤６０は、フック５１によって保持した蛍光管２０に位置ずれが生じることを防止するために塗布する。接着剤６０は、蛍光管２０が引っ掛けられたフック５１の先端部分５２と、蛍光管２０との間に塗布する。接着剤６０を塗布する部位は、蛍光管２０が引っ掛けられるフック５１の先端部分５２周辺のみとなるため、蛍光管２０の位置ずれ防止に要する接着剤６０の塗布量を比較的少量に抑えることができる。これによって、製造コストを削減させることが可能になっている。接着剤６０には、樹脂硬化性のものを利用しているが、これに限定されるものではない。フック５１と蛍光管２０との接着を行うことが可能な限りにおいて適宜変更することが可能である。
【００３０】
接着剤６０は、保持部材５０においフック５１と対向する位置に形成した貫通穴５６を利用して塗布する（図４参照）。
【００３１】
塗布用ノズル等（図示せず）を他方の面５５ｂの側から貫通穴５６内に挿入し、フック５１の先端部分５２に接着剤６０を塗布する。接着剤６０の塗布量にむらが生じると、蛍光管２０が傾いて固定されてしまうため、精度よく保持部材５０に対して組み付けることができない虞がある。上述した方法によれば、比較的少量の接着剤６０を、貫通穴５６を利用した簡単な作業によって塗布するため、作業者は接着剤６０をより均一に塗布することが可能になる。したがって、蛍光管２０が傾いて組み付けられるような問題が生じることを未然に防止することができる。
【００３２】
接着剤６０を塗布した後、保持部材５０に蛍光管２０を保持させた状態で硬化を行うことが可能なため、組み付け時に特別な治具を用いる必要がない。このため、組み付け作業をより簡略化して行うことが可能になっている。
【００３３】
保持部材５０の側面部５８には、溝部５９を形成し、リード線３１を配置している（図３（Ｂ）参照）。
【００３４】
溝部５９を利用することによって、一方の面５５ａの側から他方の面５５ｂの側にリード線３１を引き回す際に、リード線３１に過剰に引っ張り力が付与されることを防止している。フック５１に接着剤６０を塗布する作業を行う際に、溝部５９内にリード線３１を避けて配置しておくことによって、塗布作業がリード線３１によって妨げられることを防止している。これによって、塗布作業をより円滑に行うことが可能になる。溝部５９の形状や個数は、図示されたものに限定されず、リード線３１の形状や個数に合わせて適宜変更することが可能である。
【００３５】
保持部材５０の他方の面５５ｂの側には、外装ケース４０を取り付ける（図１および図２参照）。保持部材５０は、一方の面５５ａの側において保持した蛍光管２０と、一方の面５５ａの側の背面側となる他方の面５５ｂの側に取り付けた電子安定器４３との間において隔壁として機能する。電子安定器４３が蛍光管２０から放出された熱の影響を受けると、信頼性の低下や、寿命の低下が招かれる虞がある。保持部材５０を隔壁として機能させることによって、蛍光管２０から放出された熱の影響が電子安定器４３に直接的に作用することを防止している。
【００３６】
次に、インバータ式蛍光灯１０の組立て方法について説明する。
【００３７】
図２を参照して、フック５１に蛍光管２０を引っ掛ける作業に先立って、フック５１の先端部分５２に接着剤６０を塗布する（図３（Ｂ）参照）。接着剤６０は、フック５１に引っ掛けた蛍光管２０の位置ずれを防止するために塗布する。接着剤６０を塗布する部位が、蛍光管２０が引っ掛けられるフック５１の先端部分５２周辺のみとなるため、接着剤６０の塗布量を比較的少量に抑えることができる。
【００３８】
接着剤６０の塗布作業は、貫通穴５６を利用して塗布する（図４参照）。比較的少量の接着剤６０を、貫通穴５６を利用した簡単な作業によって塗布するため、接着剤６０をより均一に塗布することができる。
【００３９】
蛍光管２０の両端部２３ａ、２３ｂから伸びたリード線３１は、側面部５８に沿わせて保持部材５０の一方の面５５ａの側から他方の面５５ｂの側へ引き回しておく（図３（Ｂ）参照）。この際、側面部５８に形成された溝部５９にリード線３１を配置する。溝部５９内に配置することによって、リード線３１を引き回す際にリード線３１に過剰に引っ張り力が付与されることを防止する。溝部５９にリード線３１を避けて配置しておくことによって、リード線３１が接着剤６０の塗布作業の妨げになることを防止する。
【００４０】
次に、保持部材５０に蛍光管２０を組み付ける。保持部材５０の一方の面５５ａの側に伸びたフック５１に蛍光管２０の螺旋部２２を引っ掛ける（図３（Ｂ）参照）。蛍光管２０が引っ掛けられたフック５１は、蛍光管２０を弾性的に保持する。フック５１に蛍光管２０を引っ掛ける簡単な作業によって組み付けを行うことができる。
【００４１】
ここで、従来の技術として、螺旋形状の外形形状を有する蛍光灯の端部を、保持部材に設けられた案内溝を介して保持部材の受け入れ口内に挿入して組み付けて製造する蛍光灯が提案されている。このような蛍光灯にあっては、蛍光管と保持部材との組み付け作業を容易に行うことは可能になる。しかしながら、受け入れ口内に挿入した状態で蛍光管を保持するため、蛍光管から放出された熱の影響によって蛍光管自体が膨張、および収縮すると、保持部材から蛍光管に対して締め付け力が付与されることになる。蛍光管から放出された熱による膨張、および消灯に伴う収縮が繰り返されることによって、蛍光管にひび割れが発生する虞がある。
【００４２】
これに対して、本実施形態にあっては、蛍光管２０から放出された熱の影響によって蛍光管２０自体が膨張、および収縮した場合であっても、保持部材５０に設けられたフック５１が膨張、および収縮に追従するように弾性的に変形し、蛍光管２０に付与される締め付け力を緩和させる。したがって、保持部材５０に組み付けた蛍光管２０にひび割れが発生することを好適に防止でき、蛍光灯１０の長寿命化を図ることができる。
【００４３】
次に、保持部材５０の他方の面５５ｂの側に、電子安定器４３が収納された外装ケース４０を取り付ける。保持部材５０は、一方の面５５ａの側において保持した蛍光管２０と、一方の面５５ａの側の背面側となる他方の面５５ｂの側に取り付けた電子安定器４３との間において隔壁として機能する。
【００４４】
外装ケース４０内に収納された電子安定器４３と、蛍光管２０内に配置された電極２５とを、リード線３１によって電気的に接続する。
【００４５】
最後に、外装ケース４０に口金４１を取り付け、保持部材５０にグローブ３３を取り付ける。以上の作業によって、蛍光灯１０を完成させる（図１参照）。
【００４６】
上述したように、本実施形態にあっては、フック５１に蛍光管２０を引っ掛ける簡単な作業によって組み付けを行うことができる。蛍光管２０から放出された熱の影響によって蛍光管２０が膨張、および収縮した場合であっても、保持部材５０に設けられたフック５１が膨張、および収縮に追従するように弾性的に変形し、蛍光管２０に付与される締め付け力を緩和させる。このため、保持部材５０に組み付けた蛍光管２０にひび割れが生じることを好適に防止できる。
【００４７】
フック５１に引っ掛けた蛍光管２０の位置ずれを防止するために塗布する接着剤６０の塗布量を比較的少量に抑えることができ、製造コストを削減することができる。
【００４８】
保持部材５０に設けられた貫通穴５６を利用した簡単な作業によって、比較的少量の接着剤６０を塗布するため、接着剤６０をより均一に塗布することができる。
【００４９】
側面部５８に形成された溝部５９にリード線３１を配置するため、リード線３１を引き回す際に、リード線３１に過剰に引っ張り力が付与されることを防止できる。溝部５９にリード線３１を避けて配置しておくことによって、リード線３１が接着剤６０の塗布作業の妨げになることを防止できる。
【００５０】
保持部材５０とフック５１とを樹脂成形によって一体的に形成しているため、製作に要する工程数を削減することができ、製作コストを削減することができる。
【００５１】
本考案は、実施形態において説明された構成に限定されるものではなく、保持部材に設けられたフックによって螺旋形状の蛍光管を弾性的に保持し、蛍光管の膨張、および収縮に伴って生じ得る蛍光管のひび割れを防止することを目的としたインバータ式蛍光灯に適用し得る範囲内において、適宜変更することが可能である。
【００５２】
例えば、実施形態にあっては、樹脂成形によって保持部材５０にフック５１を一体的に形成しているが、保持部材と別体にして形成されたフックを、別工程で取り付けた構成とすることも可能である。保持部材、およびフックの材質も特に限定されるものではなく、弾性的に蛍光管を保持し得る金属材料等を選択することが可能である。また、フックの先端部分を保持部材の内部に向けて反った形状に形成することも可能である。
【符号の説明】
【００５３】
１０      蛍光灯（インバータ式蛍光灯）、
２０      蛍光管、
２１      中心部、
２２      螺旋部、
２３ａ    端部、
２３ｂ    端部、
２５      電極、
３１      リード線、
３３      グローブ、
４０      外装ケース、
４１      口金、
４３      電子安定器（電子回路）、
５０      保持部材、
５１      フック、
５２      先端部分、
５３      根元部分、
５５ａ    一方の面、
５５ｂ    他方の面、
５６      貫通穴、
５７      補強部材、
５８      側面部、
５９      溝部、
６０      接着剤、
ｃ        中心軸、
α        傾斜角度。
【図１】
0003154874.tif 000003
【図２】
0003154874.tif 000004
【図３】
0003154874.tif 000005
【図４】
0003154874.tif 000006